(57)【要約】【課題】足等が載る載置面が清潔で、足等を載せた際に肌触りがよく、冷たさを感じず、また足等が滑ることのない生体情報測定装置用カバーを提供する。【解決手段】パイルが織り込まれた布素材から成り、足等が載る載置部材１２と、載置部材１２の裏面に設けられ、生体情報測定装置２０の測定面２２に載置部材１２を着脱可能に保持する保持手段１６と、を備える。【選択図】図２
0003190062.tif 000002
【実用新案登録請求の範囲】
【請求項１】
パイルが織り込まれた布素材から成り、足等が載る載置部材と、
前記載置部材の裏面に設けられ、生体情報測定装置の測定面に前記載置部材を着脱可能に保持する保持手段と、
を備える生体情報測定装置用カバー。
【請求項２】
前記保持手段は、粘着性を有する樹脂材料から成る保持層である、請求項１に記載の生体情報測定装置用カバー。
【請求項３】
前記保持層は、接着層を介して前記載置部材の裏面に貼り付けられている、請求項２に記載の生体情報測定装置用カバー。
【請求項４】
前記接着層は両面テープである、請求項３に記載の生体情報測定装置用カバー。
【請求項５】
前記保持層には、ストライプ状の凹部が形成されている、請求項２〜請求項４のいずれか１項に記載の生体情報測定装置用カバー。
【請求項６】
前記保持手段は、生体情報測定装置の測定面に取り付けられたシリコン樹脂カバーに貼り付けられる、請求項１〜請求項５のいずれか１項に記載の生体情報測定装置用カバー。
【請求項７】
前記保持手段は、前記載置部材の裏面に設けられた雄側又は雌側の面ファスナと、生体情報測定装置の測定面に設けられた雌側又は雄側の面ファスナである、請求項１に記載の生体情報測定装置用カバー。
【請求項８】
前記保持手段は前記載置部材の裏面に設けられた磁石又は磁性体と、生体情報測定装置の測定面に設けられた磁性体又は磁石である、請求項１に記載の生体情報測定装置用カバー。
【請求項９】
前記載置部材はタオル生地から成る、請求項１〜請求項８のいずれか１項に記載の生体情報測定装置用カバー。
【請求項１０】
前記載置部材は、足型に裁断された一対の布素材である、請求項１〜請求項９のいずれか１項に記載の生体情報測定装置用カバー。
【請求項１１】
前記載置部材は、生体情報測定装置の情報表示部を覆わないための切欠き又は穴が設けられた四角形状の布素材である、請求項１〜請求項９のいずれか１項に記載の生体情報測定装置用カバー。
【考案の詳細な説明】
【技術分野】
【０００１】
本考案は、生体情報測定装置用カバーに関する。
【背景技術】
【０００２】
従来、体重計等の生体情報測定装置で体重を測定する際には、生体情報測定装置の載置面に直接足等を載せて計測を行っている。
【考案の概要】
【考案が解決しようとする課題】
【０００３】
しかし、生体情報測定装置を毎日使用したり、不特定多数の人が使用すると、生体情報測定装置の測定面が汚れ、不衛生となる。
また、生体情報測定装置の測定面は、一般に、プラスチック、ガラス、金属などで形成されていることから、特に冬場などは、足等を載せた際に、冷たさを感じることがある。さらに、プラスチック、ガラス、金属等の測定面に、風呂上り等に濡れた足等を載せると足等が滑ることもある。
【０００４】
本考案は上記事実を考慮し、足等が載る載置面が清潔で、足等を載せた際に肌触りがよく、冷たさを感じず、また足等が滑ることのない生体情報測定装置用カバーを提供することを目的とする。
【課題を解決するための手段】
【０００５】
本考案の請求項１に係る生体情報測定装置用カバーは、パイルが織り込まれた布素材から成り、足等が載る載置部材と、前記載置部材の裏面に設けられ、生体情報測定装置の測定面に前記載置部材を着脱可能に保持する保持手段と、を備える。
【０００６】
上記構成によれば、足等が載る載置面が、パイルが織り込まれた布素材から成るため、吸水性がよく、足等が滑ることがない。また、肌触りがよく、冷たさを感じない。さらに、生体情報測定装置用カバーは保持手段によって生体情報測定装置の測定面に着脱可能に保持されているため、生体情報測定装置用カバーを取り外して洗濯することで、載置面を清潔に保つことができる。
【０００７】
本考案の請求項２に係る生体情報測定装置用カバーは、前記保持手段は、粘着性を有する樹脂材料から成る保持層である。
【０００８】
上記構成によれば、シリコン樹脂又はウレタン樹脂等の樹脂材料から成る保持層の粘着力によって、生体情報測定装置カバーの載置部材を生体情報測定装置の測定面に着脱可能に保持することができる。
【０００９】
本考案の請求項３に係る生体情報測定装置用カバーは、前記保持層は、接着層を介して前記載置部材の裏面に貼り付けられている。
また、本考案の請求項４に係る生体情報測定装置用カバーは、前記接着層は両面テープである。
【００１０】
上記構成によれば、シリコン樹脂又はウレタン樹脂等の保持層を、布素材から成る載置部材に接着層を介して確実に貼り付けることができる。また、接着層を両面テープとすれば、保持層を載置部材に容易に貼り付けることができる。
【００１１】
本考案の請求項５に係る生体情報測定装置用カバーは、前記保持層には、ストライプ状の凹部が形成されている。
【００１２】
上記構成によれば、保持層にストライプ状の凹部が形成されており、保持層は凹部では生体情報測定装置の測定面に当接されない。したがって、載置部材の裏面の保持層全体が生体情報測定装置の測定面に当接するものと比較して、生体情報測定装置用カバーの生体情報測定装置の測定面への着脱が容易である。
【００１３】
本考案の請求項６に係る生体情報測定装置用カバーは、前記保持手段は、生体情報測定装置の測定面に取り付けられたシリコン樹脂カバーに貼り付けられる。
【００１４】
上記構成によれば、生体情報測定装置用カバーとシリコン樹脂カバーとで、二重に生体情報測定装置の測定面を保護することができる。
【００１５】
本考案の請求項７に係る生体情報測定装置用カバーは、前記保持手段は、前記載置部材の裏面に設けられた雄側又は雌側の面ファスナと、生体情報測定装置の測定面に設けられた雌側又は雄側の面ファスナである。
また、本考案の請求項８に係る生体情報測定装置用カバーは、前記保持手段は前記載置部材の裏面に設けられた磁石又は磁性体と、生体情報測定装置の測定面に設けられた磁性体又は磁石である
【００１６】
上記構成によれば、面ファスナ又は磁石によって、生体情報測定装置用カバーを生体情報測定装置の測定面に取り付けることができる。
【００１７】
本考案の請求項９に係る生体情報測定装置用カバーは、前記載置部材はタオル生地から成る。
【００１８】
上記構成によれば、載置部材がタオル生地であるため、吸水性に優れ、肌触りがよい。
【００１９】
本考案の請求項１０に係る測定装置用カバーは、前記載置部材は、足型に裁断された一対の布素材である。
また、本考案の請求項１１に係る生体情報測定装置用カバーは、前記載置部材は、生体情報測定装置の情報表示部を覆わないための切欠き又は穴が設けられた四角形状の布素材である。
【００２０】
上記構成によれば、生体情報測定装置の測定面の少なくとも足が載る部分を生体情報測定装置用カバーで覆うことで、測定面を清潔に保つことができる。また、生体情報測定装置を、切欠き又は穴が設けられた四角形状の生体情報測定装置用カバーで覆うことで、情報表示部の目視を可能にしつつ、測定面全体を保護することができる。
【考案の効果】
【００２１】
本考案によれば、足等が載る載置面が清潔で、足等を載せた際に肌触りがよく、冷たさを感じず、また足等が滑ることのない生体情報測定装置用カバーを提供することができる。
【図面の簡単な説明】
【００２２】
【図１】（Ａ）は実施形態１の生体情報測定装置用カバーを示す平面図であり、（Ｂ）はその側面図であり、（Ｃ）はその底面図である。
【図２】（Ａ）は実施形態１の生体情報測定装置用カバーの生体情報測定装置への取付け前を示す斜視図であり、（Ｂ）は取付け後を示す斜視図であり、（Ｃ）は取付け後のＸ方向側面図である。
【図３】（Ａ）は実施形態２、実施形態３の生体情報測定装置用カバー及び生体情報測定装置を示す斜視図であり、（Ｂ）はそのＸ方向側面図である。
【図４】（Ａ）は実施形態４の生体情報測定装置用カバー及び生体情報測定装置を示す斜視図であり、（Ｂ）はそのＡ−Ａ断面図である。
【図５】生体情報測定装置の変形例と生体情報測定装置用カバーの変形例を示す斜視図である。
【考案を実施するための形態】
【００２３】
本発明の実施形態に係る生体情報測定装置用カバーの一例について、図面を用いて詳細に説明する。
【００２４】
（実施形態１）
図１（Ｂ）に示すように、本考案の実施形態１に係る生体情報測定装置用カバー１０は、載置部材１２と、両面テープ（接着層）１４と、保持層（保持手段）１６とが積層されて構成されている。
【００２５】
載置部材１２は、パイル（毛羽）がループ状に織り込まれたタオル生地の布素材である。載置部材１２は、図１（Ａ）に示すように、１辺に四角形状の切欠き１２Ａが形成されたコの字型形状を有している。
【００２６】
保持層１６は、粘着性を有するシリコン樹脂又はウレタン樹脂等の樹脂材料から成り、両面テープ１４によって載置部材１２の裏面に貼り付けられている。また、保持層１６には、図１（Ｃ）に示すように、ストライプ状の凸部１６Ａ、凹部１６Ｂが形成されている。なお、保持層１６が形成されている部分（凸部１６Ａ）と、保持層１６が形成されていない部分（凹部１６Ｂ）とを交互に設けることによって、凹凸を形成してもよい。
【００２７】
図２に示すように、生体情報測定装置用カバー１０は、保持層１６を下側に向けて生体情報測定装置２０の測定面２２に載置される。このとき、保持層１６の凸部１６Ａが情報測定装置２０の測定面２２に当接し、凹部１６Ｂは情報測定装置２０の測定面２２に当接しない。
【００２８】
生体情報測定装置２０の測定面２２は、人が足等を載せる部分であり、体重等の数値が表示される四角形状の情報表示部２４が設けられている。生体情報測定装置用カバー１０は、情報表示部２４を覆わないよう、切欠き１２Ａが情報表示部２４の上となるように生体情報測定装置２０の測定面２２に載置されている。
【００２９】
生体情報測定装置２０の測定面２２に載置された生体情報測定装置用カバー１０上に足等を載せることで、生体情報測定装置２０の脚部２６に設けられた図示しないセンサによって体重が計測される。
【００３０】
このとき、足等が載る生体情報測定装置用カバー１０の載置部材１２は、タオル生地から成るため、暖かく、肌触りがよい。また、吸水性がよいため、濡れた状態で足等を載せても足等が滑らず、洗濯機で洗濯することができ、取り扱いが容易である。
【００３１】
また、生体情報測定装置用カバー１０は、切欠き１２Ａが形成されたコの字型形状であるため、生体情報測定装置２０の情報表示部２４の目視を可能にしつつ、測定面２２全体を保護することができる。
【００３２】
さらに、生体情報測定装置用カバー１０は、粘着性を有する保持層１６によって生体情報測定装置２０の測定面２２に着脱可能に保持されているため、洗濯して繰り返し使用することができ、測定面２２を清潔に保つことができる。
【００３３】
また、保持層１６の裏面にストライプ状の凸部１６Ａ、凹部１６Ｂが形成されており、保持層１６の凸部１６Ａのみが情報測定装置２０の測定面２２に当接するため、保持層１６全体が情報測定装置２０の測定面２２に当接するものと比較して、生体情報測定装置用カバー１０を生体情報測定装置２０の測定面２２に着脱するのが容易である。
【００３４】
（実施形態２）
実施形態２では、図３に示すように、生体情報測定装置用カバー３０は、載置部材３２と、保持手段３４と、保持手段３６とから構成されている。本実施形態において、保持手段３４と保持手段３６は、「マジックテープ（登録商標）」などの名称で知られる面ファスナであり、３４が雄側面ファスナ、３６が雌側面ファスナである。
【００３５】
載置部材３２は、実施形態１と同様のタオル生地の布素材であり、人の足型に裁断された一対の布素材から成る。
【００３６】
雄側面ファスナ（保持手段）３４は、フック状の起毛が形成された布であり、一対の載置部材３２の裏面全体に貼り付けられている。
雌側面ファスナ（保持手段）３６は、ループ状の起毛が形成された布であり、４つの雌側面ファスナ３６が生体情報測定装置２０の測定面２２に貼り付けられている。
【００３７】
生体情報測定装置用カバー３０は、雄側面ファスナ（保持手段）３４が４つの雌側面ファスナ（保持手段）３６に係合されるように、生体情報測定装置２０の測定面２２に載置される。
【００３８】
（実施形態３）
実施形態３では、保持手段として、実施形態２の雄側面ファスナ３４と雌側面ファスナ３６の代わりに、磁石（保持手段）４０と磁性体（保持手段）４２が用いられる。その他の構成は実施形態２と同様であるため、同じ符号を使用し、説明を省略する。
【００３９】
磁石４０が一対の載置部材３２の裏面全体に貼り付けられ、４つの磁性体４２が生体情報測定装置２０の測定面２２に取り付けられている。
【００４０】
生体情報測定装置用カバー３０は、磁石４０が４つの磁性体４２に張り付けられるように、生体情報測定装置２０の測定面２２に載置される。  
【００４１】
実施形態２、実施形態３では、保持手段として、雄側面ファスナ３４及び雌側面ファスナ３６、または磁石４０及び磁性体４２を用いて、生体情報測定装置用カバー３０を生体情報測定装置２０の測定面２２に着脱可能に取り付けることができるため、生体情報測定装置用カバー３０の位置決めが容易である。
【００４２】
また、生体情報測定装置用カバー３０が足型に裁断された一対の載置部材３２から成るため、生体情報測定装置２０の測定面２２の足が載る部分のみを確実に覆うことができ、情報表示部２４を覆うことがない。
【００４３】
（実施形態４）
図４に示すように、実施形態４では、実施形態１の生体情報測定装置用カバー１０が、シリコン樹脂カバー５０を介して生体情報測定装置２０の測定面２２に載置される。
【００４４】
シリコン樹脂カバー５０は、粘着性を有する薄いシリコン樹脂製のカバーであり、生体情報測定装置２０の側面と測定面２２を覆う大きさとされている。シリコン樹脂カバー５０は、粘着力により生体情報測定装置２０に密着して取り付けられている。なお、生体情報測定装置２０の脚部２６はシリコン樹脂カバー５０で覆われることなく露出している。
【００４５】
また、シリコン樹脂カバー５０には、生体情報測定装置２０の情報表示部２４と対応する位置に四角形状の穴５０Ａが形成されており、生体情報測定装置２０にシリコン樹脂カバー５０を取り付けた際に、シリコン樹脂カバー５０上から情報表示部２４が目視可能となっている。
【００４６】
生体情報測定装置用カバー１０は、保持層１６がシリコン樹脂カバー５０に貼り付けられることによって生体情報測定装置２０上に保持されており、生体情報測定装置用カバー１０上に足等を載せることで、生体情報測定装置２０の脚部２６に設けられた図示しないセンサによって体重が計測される。
【００４７】
実施形態４では、生体情報測定装置用カバー１０が、生体情報測定装置２０の測定面２２に取り付けられたシリコン樹脂カバー５０に貼り付けられているため、生体情報測定装置用カバー１０とシリコン樹脂カバー５０とで、二重に生体情報測定装置２０の測定面２２を保護することができる。
【００４８】
（その他の実施形態）
なお、本発明について実施形態の一例を説明したが、本発明はかかる実施形態に限定されるものではなく、本発明の範囲内にて他の種々の実施形態が可能である。
【００４９】
例えば、上記の実施形態では、載置部材１２、３２はパイルがループ状に織り込まれたタオル生地の布素材であったが、パイル表面をカットしたシャーリング生地の布素材から構成されていてよい。
【００５０】
また、保持層１６を、両面テープ１４によって載置部材１２の裏面に貼り付けていたが、接着剤等によって載置部材１２に貼り付けてもよい。あるいは、保持層１６が両面テープそのものであってもよい。付箋紙などで用いられる粘度の比較的低い糊面を有する両面テープを用いれば、生体情報測定装置用カバー１０をはがす際に、測定面２２及び／又は載置部材１２の裏面に糊あとが残らない。
【００５１】
また、実施形態２において、載置部材３２の裏面に雄側面ファスナ３４が貼り付けられ、生体情報測定装置２０の測定面２２に雌側面ファスナ３６が貼り付けられていたが、載置部材３２の裏面に雌側面ファスナ３６が貼り付けられ、生体情報測定装置２０の測定面２２に雄側面ファスナ３４が貼り付けられていてもよい。雄側面ファスナ３４、雌側面ファスナ３６の数も、適宜変更することができる。
【００５２】
同様に、実施形態３において、載置部材３２の裏面に磁性体４２が貼り付けられ、生体情報測定装置２０の測定面２２に磁石４０が取り付けられていてもよい。
【００５３】
さらに、上記実施形態１〜実施形態４は適宜組み合わせることができる。例えば、実施形態１や実施形態４のコの字型形状の載置部材１２の代わりに、実施形態２や実施形態３の足型の載置部材３２を用いることができるし、実施形態２や実施形態３の足型の載置部材３２の代わりに実施形態１や実施形態４のコの字型形状の載置部材１２を用いることもできる。
【００５４】
また、載置部材１２、３２の形状は、実施形態１や実施形態４のコの字型形状や実施形態２や実施形態３の足型に限られない。測定面２２の足等が載る部分が覆われる形状であれば、いかなる形状であっても良い。
【００５５】
なお、本発明の生体情報測定装置用カバー１０、３０が取り付けられる生体情報測定装置２０も、実施形態１〜実施形態４で用いられた生体情報測定装置２０に限らない。例えば、生体情報測定装置６０として、図５に示すようなベビースケール（乳児用体重計）６０を用い、ベビースケール６０の測定面６２に、測定面６２と同じ大きさの生体情報測定装置用カバー６４が取り付けられてもよい。
【００５６】
ベビースケール６０では、測定面６２に乳児の体を寝かせて体重を測定するため、測定面６２に生体情報測定装置用カバー６４が取り付けられていることで、乳児の体が清潔に保たれる。また、生体情報測定装置用カバー６４は、パイルが織り込まれた布素材であるため肌触りがよく、乳児の柔らかい肌にもやさしい触感となる。
【符号の説明】
【００５７】
１０、３０、６４     生体情報測定装置用カバー
１２、３２           載置部材
１４                 両面テープ（接着層）
１６                 保持層（保持手段）
１６Ｂ               凹部
２０                 生体情報測定装置
２２、６２           測定面
２４                 情報表示部
３４                 雄側面ファスナ（保持手段）
３６                 雌側面ファスナ（保持手段）
４０                 磁石（保持手段）
４２                 磁性体（保持手段）
５０                 シリコン樹脂カバー
６０                 ベビースケール（生体情報測定装置）
【図１】
0003190062.tif 000003
【図２】
0003190062.tif 000004
【図３】
0003190062.tif 000005
【図４】
0003190062.tif 000006
【図５】
0003190062.tif 000007